(57)【要約】      （修正有）【課題】操作性のよい、治療効果の優れる周波数自動変換できるレーザーによる弱視治療機器を提供する。【解決手段】周波数自動変換レーザー弱視治療機器の一種であり、レーザー・ジェネレーター、光線出力通路に取り付けた循環光線遮断システム及び制御回路から構成される。また、高さと光線の出力角度の調整できる回転増幅鏡２が付いている。この回転増幅鏡２はサブ・ミラーが内臓されるスライド・マッフ、及びメイン・ミラーが内臓されるマッフからなっている。メイン・ミラーのマッフはサブ・ミラーのスライド・マッフに嵌められ、上下に移動できる。サブ・ミラーのスライド・マッフの上部にリミット・ゲージがある。メイン・ミラー側に光線出力のための開口がある。開口に反射鏡２０５があるから、レーザー・ジェネレーターからの光線がまず回転増幅鏡のサブ・ミラーに直接に出力し、さらにメイン・ミラーに沿って反射鏡２０５により反射され、開口から出力される。【選択図】図１
0003147609.tif 000002
【実用新案登録請求の範囲】
【請求項１】
レーザー・ジェネレーターと光線出力通路に取り付けた循環光線遮断システム及び制御回路から構成される周波数自動変換レーザー弱視治療機器において、高さと光線出力角度の調整できる回転増幅鏡が付いていることを特徴とする周波数自動変換レーザー弱視治療機器。
【請求項２】
上記の回転増幅鏡は、サブ・ミラーが内臓されるスライド・マッフ、及びメイン・ミラーが内臓されるマッフからなっており、メイン・ミラーのマッフはサブ・ミラーのスライド・マッフに嵌められ、上下に移動でき、サブ・ミラーのスライド・マッフの上部にリミット・ゲージがあり、メイン・ミラー側に光線出力ための開口があり、開口に反射鏡があるから、レーザー・ジェネレーターからの光線がまず回転増幅鏡のサブ・ミラーに直接に出力し、さらにメイン・ミラーに沿って反射鏡により反射され、開口から出力されることを特徴とする請求項１に記載の周波数自動変換レーザー弱視治療機器。 
【請求項３】
上記の回転増幅鏡のサブ・ミラーのスライド・マッフが光線調整ユニットを通して、ヘリウム・ネオンレーザー・ジェネレーターの光線出力通路と繋がることを特徴とする請求項１に記載の周波数自動変換レーザー弱視治療機器。
【請求項４】
上記のレーザー・ジェネレーターの出力光線の波長が630.0-650.0nmであることを特徴とする請求項１に記載の周波数自動変換レーザー弱視治療機器。
【請求項５】
上記のレーザー・ジェネレーターがヘリウム・ネオンレーザー・ジェネレーターであることを特徴とする請求項１に記載の周波数自動変換レーザー弱視治療機器。
【請求項６】
上記のレーザー・ジェネレーターが半導体レーザー・ジェネレーターであることを特徴とする請求項１に記載の周波数自動変換レーザー弱視治療機器。
【請求項７】
上記の制御回路には、循環シーケンス回路、コントロールド分岐回路定圧源、安定駆動回路、速度測定回路、音声・光表示回路及び電源回路があり、電源回路の低圧電源は循環シーケンス回路、音声・光表示回路に電源を提供し、高圧電源回路は、ヘリウム・ネオンレーザー・ジェネレーターに動作電源を提供し、循環シーケンス回路から送り出したシーケンス信号は安定駆動回路を経由して直流変速モーターに安定な電圧を提供することを特徴とする請求項5に記載の周波数自動変換レーザー弱視治療機器。
【考案の詳細な説明】
【技術分野】
【０００１】
本実用新案は、医療機器の一種で、周波数自動変換のできるレーザーによる弱視治療機器である。
【背景技術】
【０００２】
弱視は児童の中でよく見られる目の病気である。目に器質的疾患がないのに、矯正視力が0.9（正常）以下のものをさす。弱視は眼底の網膜錐体細胞の機能、視神経伝導機能及び視中枢機能と関連がある。
【０００３】
近年の研究により、視細胞の敏感波長と似た光を目に当てて、視覚反応敏感性の強い周波数の変換できる光波を使って、網膜の神経細胞に対して良性な刺激を繰り返せば、弱視、仮近視によい治療効果があると証明された。本出願人は94年にレーザーの周波数自動変換による弱視治療機器を出願したが、その特許登録番号はCN9411755.6である。当装置は、ヘリウム・ネオンレーザー・ジェネレーター、精密な直流変速モーター及び内臓されたメイン制御回路からなり、周波数の自動変換できるレーザー技術を利用して目の疾患部を治療する機器である。機器は世に問うと多くの弱視患者にいい知らせをもたらしたが以下の欠点がある。1．ヘリウム・ネオンレーザー・ジェネレーターの光線通路の角度、高さが固定されているので、使用時、ヘリウム・ネオンレーザー・ジェネレーターのレーザーをちゃんと患者の目に当てて刺激をするために、身長の違う患者に合わせて機器全体の高さ、角度を調整するか、患者が体を曲がったり向きを変えたりしなければならないから、使用がとても不便である。2．周波数自動変換のレーザーの動作状態の表示とレーザー強度の調節がない。3．タイマがない。使用者が自分で時間を把握しなければならない。時間の正確性を把握しにくいし、人力を無駄にした。
【考案の開示】
【考案が解決しようとする課題】
【０００４】
本実用新案は操作性のよい、治療効果の優れる周波数自動変換できるレーザーによる弱視治療機器を提供することにある。
【０００５】
上記の目的を達成するために、本実用新案は以下のように設計した。まず、機器は周波数の自動変換できるレーザーを使って弱視を治療する装置である。機器は、ヘリウム・ネオンレーザー・ジェネレーター、光線出力通路に付けられた光線循環遮段システム及び制御回路からなる。また、高さと光線出力角度の調整できる回転増幅鏡も付いている。この回転増幅鏡はサブ・ミラーが内臓されるスライド・マッフとメイン・ミラーが内臓されるマッフからなる。メイン・ミラーのマッフはサブ・ミラーのスライド・マッフに嵌めて、上下に移動できる。メイン・ミラー側に光線が通過できる開口がある。開口に反射鏡があるから、ヘリウム・ネオンレーザー・ジェネレーターからの光線がまず回転増幅鏡のサブ・ミラーに直接に出力し、さらにメイン・ミラーに沿って反射鏡により反射され、それから開口から出力される。
【０００６】
上記の回転増幅鏡のサブ・ミラーのスライド・マッフは光線調整ユニットを通して、ヘリウム・ネオンレーザー・ジェネレーターの光線出力通路と繋がる。
治療効果をさらにあげるために、本実用新案のヘリウム・ネオンレーザー・ジェネレーターが出力された光線の波長を630.0-650.0nmにした。
上記のレーザー・ジェネレーターは、ヘリウム・ネオンレーザー・ジェネレーターまたは半導体レーザー・ジェネレーターを使う。
【０００７】
上記の制御回路には、循環シーケンス回路、コントロールド分岐回路定圧源、安定駆動回路、速度測定回路、音声・光表示回路及び電源回路がある。電源回路の低圧電源は循環シーケンス回路、音声・光表示回路に電源を提供する。高圧電源回路は、ヘリウム・ネオンレーザー・ジェネレーターに動作電源を提供する。循環シーケンス回路から送り出したシーケンス信号は安定駆動回路を経由して直流変速モーターに安定な電圧を提供する。
【０００８】
本実用新案の特徴は、弱視に対する治療効果が優れて、全快率が高く、副作用がないことである。現有の疾患治療技術と比べて、治療コースが1／10まで短縮でき、とても便利である。
【考案を実施するための最良の形態】
【０００９】
図1に示されたように、本実用新案には、レーザー・ジェネレーター（本件では、ヘリウム・ネオンレーザー・ジェネレーターを使った）、光線出力通路に付けられた光線循環遮断システム（ボックス１に内臓される。既存技術なので、説明を省く）、及び制御回路が含まれる。前より改善されたところは、二箇所ある。一つは、レーザー・ジェネレーターから出た光線の高さと角度が調整できる回転増幅鏡を取り付けた。もう一つは機器の前面パネルに周波数変換状態が表示できる表示ランプ、タイマのスイッチ及び表示メーターが取り付けられたので、操作しやすくなった。
【００１０】
図2、図2-Aに示されたように、本実用新案に加えた回転増幅鏡2は、サブ・ミラー2011が内臓されたスライド・マッフ201、及びメイン・ミラー2031が内臓されたマッフ203からなる。メイン・ミラーのマッフはサブ・ミラーのスライド・マッフに嵌められ、上下に移動できる。サブ・ミラーのスライド・マッフの上部にリミット・ゲージ202がある。メイン・ミラーのマッフには光線出力開口204がある。メイン・ミラーのマッフの開口に反射鏡205がある。反射鏡をサポートする支え物206は、ネジ6、ナット12を通して反射鏡回転マッフ５に固定されている。
【００１１】
回転増幅鏡のサブ・ミラーのスライド・マッフは光線調整ユニット（図3をご参照ください）を通してレーザー・ジェネレーターの光線出力通路とつながる。光線調整ユニットには、光線調整ブラケット15があり、回転増幅鏡のサブ・ミラーのスライド・マッフがそのブラケットに嵌められ、スリーブ13に締付けナット14で固定される。真中は光ファイバーの継ぎ手16である。
【００１２】
視細胞が波長630.0-650.0nmの光線に最も敏感であることは研究によって分かった。この波長の光線で目を刺激して機能回復させることにより、治療効果をあげることができる。従って、本実用新案ではヘリウム・ネオンレーザー・ジェネレーターの出力波長を630.0-650.0nmにした。
【００１３】
図4、図5は本実用新案の電気回路の原理略図である。回路には、循環シーケンス回路、コントロールド分岐回路定圧源、安定駆動回路、速度測定回路、音声・光表示回路及び電源回路がある。
【００１４】
図5の中の破線枠aが示されたように、15秒、30秒、15秒の循環シーケンス回路はそれぞれ74123タイプのU1A、U1B、U2Aというシングル・マルチ・チューナー振動器により構成される。そのうち、R1、R2、R3、C1、C2、C3はシーケンス回路のタイミング部品である。U1Aのマイナス出力端子Qは、片方はU1Bのリセット端子とBの入力端子とつながる。片方はR22とC7からなる累計遅延回路を経由してU2Aのリセット端子とつながる。U1Bのマイナス出力端子QはU2AのB入力端子とつながる。U2Aのマイナス出力端子QはU1AのB入力端子とつながる。+5V電源からU1A、U1B、U2Aの各出力端子Qの間にそれぞれ赤、黄、緑の発光ダイオードが挿入されている。U1A、U1B、U2Aの各出力端子QはそれぞれダイオードD4、D5、D6を経由してシーケンス信号を出す。
【００１５】
この回路の特徴は、加電されるとU1Aが常に真っ先に動作状態になる。U1B、U2AはU1Aのトリガで次第に動作する。回路のロック設計により、同じ時点で一つのシーケンス回路しか出力できないことを保障した。作動順序は以下である。加電すると、U1Aが動作する。U1Aの端子Qから5Vレベルのシーケンス信号を出力する。同時にU1Aの端子Qは−U1B、U2Aを0状態にさせ、赤色の発光ダイオードD1が点灯する。15秒後、U1Aの動作が完了する。高から低に変わったQの信号のトリガでU1Bが動作する。U1Bの端子Qから5Vレベルのシーケンス信号を出力し、黄色の発光ダイオードD2が点灯する。U1Aの端子QでU1Bをトリガする時、R22、C7の遅延で、U2Aが動作しない。U1Bが動作の時、QがU2Aを自動的に0状態にロックする。30秒経って、U1Bの動作が完了後、U2Aがトリガされ動作し始まる。U2Aの端子Qからレベルの高いシーケンス信号を出力して、緑の発光ダイオードD3が点灯する。15秒後、U2Aの動作が完了し、高から低に変わったQの信号のトリガでU1Aが再度動作する。このように、１分間をサイクルとして循環する。
【００１６】
図5の破線枠bに示されたように、15秒、30秒、15秒という三つのシーケンス回路とそれぞれ対応するパワー・スイッチU3、U4、U5から構成される安定駆動回路は、チップU8、U9、U10により安定な電源を提供する。パワー・スイッチの出力を隔離する隔離ダイオードD7、D8、D9はコントロールド分岐回路定圧源を構成した。そのうち、循環シーケンス回路の三つのシーケンス信号は、それぞれD4、D5、D6を通してパワー・スイッチU3、U4、U5の制御側とつながる。電圧を安定させるチップU8、U9、U10の出力は、それぞれパワー・スイッチU3、U4、U5及び隔離ダイオードD7、D8、D9を経由して、直流変速モーターM1に送られる。U8、U9、U10はそれぞれ4.04V、4.94V、6.02Vという三種類の正確な電圧を発生し、シーケンス信号の制御により違う時間帯で直流変速モーターM1に動作電源を提供する。この回路の出力電圧は、モーターの電圧周波数特性に応じて便利に調整できる。R10-R12は電圧安定チップの調整用抵抗である。
【００１７】
パワー・スイッチU3、U4、U5はそれぞれ15秒、30秒、15秒というシーケンス回路と対応する。一つ目のシーケンス回路(U1AのQが有効になる)が動作する時、U3が作動し、U8が発生した第一種類の電圧4.04Vが、ダイオードD7を通して変速モーターMの電源入力端子に荷電され、モーターの回転速度を7.5HZにさせる。U3が動作する時、U4、U5の制御シーケンス回路が無効であるため、U4、U5は動作しない。D4、D5、D6はシーケンス回路と駆動回路を隔離する働きをする。D7、D8、D9は駆動回路のモーター調整に対する影響を無くす働きをする。
【００１８】
図の中の破線枠dでは、本発明実施例に使われる速度測定回路を公開した。回路は、光電変換技術を採用して、トランジスターQ7とQ8、演算増幅器U6(OP07)及び関連部品からなる。トランジスターQ7の駆動で赤外線発光ダイオードD16が発光する。D16の発光が物体に遮断される時だけ光電受信トランジスターQ8に反射する。モーターの回転子の羽根がD16の発光通路にあるから、モーターの回転により、光線が断続に遮断される。そうして、Q8のコレクターはモーターの回転信号を受ける。この信号が、U6により12vの方形波に拡大されてから、周波数計に加わられ、モーターの回転速度を測定できる。
【００１９】
図の中の破線枠cでは、低圧電源の回路を公開した。この回路では、220vの市電がT1の変圧、B1の整流、C8のフィルター、チップ7812と7805の電圧安定を経て、12vと5vの直流電源にさせる。
【００２０】
図の中の破線枠eでは、高圧電源の回路を公開した。この回路では、220vの市電が変圧器T2により500vの交流電圧に昇圧されてから、D13−D15の三倍圧の整流、フィルターを経て、1500vの直流駆動電源になった。ヘリウム・ネオンレーザー・ジェネレーターの駆動電源として、回路に電流計が接続されている。パネルにその表示板がある。調整スイッチ（つまりボリュームR23）により、ヘリウム・ネオンレーザー・ジェネレーターのレーザーの強度を設定できる。
【００２１】
図の中の破線枠fは、タイミングスイッチ6に制御される音声・光表示回路である。その説明を省くことにする。
【００２２】
次に図4を利用して本実用新案の動作原理を説明する。
電源回路から循環シーケンス回路、ヘリウム・ネオンレーザー・ジェネレーターに5vと1500vの直流動作電圧を提供する。コントロールド分岐回路定圧源、安定駆動回路、直流精密変速回路、速度測定回路に12vの直流動作電源を提供する。循環シーケンス回路から15秒、30秒、15秒の循環シーケンス信号をコントロールド分岐回路定圧源の入力端子に送る。コントロールド分岐回路定圧源と直流精密変速モーターの間に安定駆動回路があるから、直流精密変速モーターに循環回転速度7.5HZ±1、10HZ±1、12.5HZ±1が必要な電圧を提供することができる。速度測定回路の出力は直流精密変速モーターの入力端子に接続する。モーターの回転速度が7.5HZ±1、10HZ±1、12.5HZ±1であることを確保するために、この回路で直流変速モーターの回転速度を測定する。モーターがこの速度で回転する時、その回転子の軸にある周波数2倍変換光線遮断板により、周波数が15HZ土2、20HZ±2、25HZ土2である光線遮断システムが形成できる。ヘリウム・ネオンレーザー・ジェネレーターが発生した固定のレーザー・ビームはこの光線遮断システムにより、当周波数で循環に変化する光線に調整されてから、ちょうど患者の眼部に当たるようにさらに回転増幅鏡により高さと角度を調整される。眼が刺激されると、視神経の情報に対する感覚の伝導及び視中枢分析機能が強化され、網膜の微循環を改善し、代謝を促進することができる。
【００２３】
使用にあたり、電源スイッチ、FMスイッチ、レーザー強度調整スイッチを順次に入れて、表示板の表示を6mAぐらいにしてから、本周波数自動変換のレーザーによる弱視治療機器のレーザー・ビームを患者の眼部に当てて刺激すればよい。
【図面の簡単な説明】
【００２４】
【図１】本実用新案の構造略図
【図２】本実用新案の回転増幅鏡の構造略図
【図２−Ａ】図2の中のAの構造拡大略図
【図３】本実用新案の光線調節ユニットの構造略図
【図４】本実用新案の制御回路の原理ブロック図
【図５】本実用新案の制御回路の電気原理図
【図１】
0003147609.tif 000003
【図２】
0003147609.tif 000004
【図２−Ａ】
0003147609.tif 000005
【図３】
0003147609.tif 000006
【図４】
0003147609.tif 000007
【図５】
0003147609.tif 000008
【手続補正書】
【提出日】平成20年10月30日(2008.10.30)
【手続補正１】
【補正対象書類名】実用新案登録請求の範囲
【補正対象項目名】全文
【補正方法】変更
【補正の内容】
【実用新案登録請求の範囲】
【請求項１】
レーザー・ジェネレーターと光線出力通路に取り付けた循環光線遮断システム及び制御回路から構成される周波数自動変換レーザー弱視治療機器において、レーザー・ジェネレーターから出た光線の高さと光線出力角度の調整できる回転増幅鏡が付いていること、及び
上記回転増幅鏡は、サブ・ミラーが内臓されるスライド・マッフ、及びメイン・ミラーが内臓されるマッフからなっており、メイン・ミラーのマッフはサブ・ミラーのスライド・マッフに嵌められ、上下に移動でき、
上記サブ・ミラーのスライド・マッフは、光線調整ユニットを通してレーザー・ジェネレーターの光線出力通路とつながること
を特徴とする周波数自動変換レーザー弱視治療機器。
【請求項２】
サブ・ミラーのスライド・マッフの上部にリミット・ゲージがあり、メイン・ミラー側に光線出力ための開口があり、開口に反射鏡があるから、レーザー・ジェネレーターからの光線がまず回転増幅鏡のサブ・ミラーに直接に出力し、さらにメイン・ミラーに沿って反射鏡により反射され、開口から出力されることを特徴とする請求項１に記載の周波数自動変換レーザー弱視治療機器。
【請求項３】
上記のレーザー・ジェネレーターの出力光線の波長が630.0-650.0nmであることを特徴とする請求項１に記載の周波数自動変換レーザー弱視治療機器。
【請求項４】
上記のレーザー・ジェネレーターがヘリウム・ネオンレーザー・ジェネレーターであることを特徴とする請求項１に記載の周波数自動変換レーザー弱視治療機器。
【請求項５】
上記のレーザー・ジェネレーターが半導体レーザー・ジェネレーターであることを特徴とする請求項１に記載の周波数自動変換レーザー弱視治療機器。
【請求項６】
上記の制御回路には、循環シーケンス回路、コントロールド分岐回路定圧源、安定駆動回路、速度測定回路、音声・光表示回路及び電源回路があり、電源回路の低圧電源は循環シーケンス回路、音声・光表示回路に電源を提供し、高圧電源回路は、ヘリウム・ネオンレーザー・ジェネレーターに動作電源を提供し、循環シーケンス回路から送り出したシーケンス信号は安定駆動回路を経由して直流変速モーターに安定な電圧を提供することを特徴とする請求項4に記載の周波数自動変換レーザー弱視治療機器。